(57)【特許請求の範囲】
【請求項１】
球面上の任意点を中心とした半径５ｍｍの仮想円を描いた際、その円中に高さ０．０１ｍｍ以上の少なくとも１種の凸状ディンプルと少なくとも１種の凹状ディンプルとを３〜２５個有し、球面上の凸状ディンプルと凹状ディンプルとは互いに独立して設けられており、かつ凸状ディンプルを球面に投影した際の平面形状が円形で、その直径が１ｍｍ以上４．２ｍｍ以下であることを特徴とするゴルフボール。
【請求項２】
上記仮想円の面積の３割以上が凸状ディンプルである請求項１記載のゴルフボール。
【請求項３】
凸状ディンプルを球面に投影した際の投影面積の合計がボールの総表面積に対して３０〜９０％である請求項１又は２記載のゴルフボール。
【請求項４】
ボールの表面硬度がショアＤで５０〜７０の範囲である請求項１乃至３のいずれか１項記載のゴルフボール。
【請求項５】
ボールの土手部直径が４２．６６ｍｍ以下である請求項１乃至４のいずれか１項記載のゴルフボール。
【請求項６】
凹状ディンプルの面積の割合が凸状及び凹状ディンプル全体に対し５〜４０％である請求項１乃至５のいずれか１項記載のゴルフボール。
【請求項７】
凹状ディンプルは、直径が１．５〜３．６ｍｍであり、かつ深さが０．０８〜０．２０ｍｍである請求項１乃至６のいずれか１項記載のゴルフボール。
【請求項８】
凸状ディンプルを球面に投影した際の投影面積の合計がボールの総表面積に対して５０〜８５％である請求項１乃至７のいずれか１項記載のゴルフボール。
【請求項９】
凸状ディンプルの総数が１８０〜６００個である請求項１乃至８のいずれか１項記載のゴルフボール。
【請求項１０】
一の凸状ディンプルの頂点からボールの中心を通って反対側の凸状ディンプルの頂点に至るまでの距離が４２．６７ｍｍ以上である請求項１乃至９のいずれか１項記載のゴルフボール。
【発明の詳細な説明】
【０００１】
【発明の属する技術分野】
本発明は、直線的な弾道が得られ、ランが良く出てトータル飛距離が増大したゴルフボールに関する。
【０００２】
【従来の技術及び発明が解決しようとする課題】
従来から、ゴルフボールの表面には、空気力学的特性を向上させるために平面円形の窪みであるディンプル（凹状ディンプル）を多数備えており、これによってディンプルを有さない滑らかなゴルフボールより一層良く飛ぶことは良く知られている。
【０００３】
このようなゴルフボールをドライバーでフルショットすると、クラブヘッドとの摩擦によりスピンがかかり、打出角が低くなる傾向があり、飛距離を増大させるためにはスピンを減らし、打出角を上げることが必要となる。
【０００４】
一方、ゴルフボールは、世界共通のゴルフ規則に従って製造されており、ボール直径については４２．６７ｍｍ以上（ラージサイズボール）であることが公認球（公式試合用ボール）の条件とされている。
【０００５】
しかしながら、ボール直径が大きくなると断面積が大きくなって、風に対して影響を受け、ボールの落下角度が大きくなり、ランが少なくなってトータル飛距離が出なくなる上に、曲がりやすいという欠点がある。
【０００６】
本発明は、上記事情に鑑みなされたもので、スピンを低下させ、高打出角で、直線的な弾道が得られ、かつランがよく出てトータル飛距離が増大したゴルフボールを提供することを目的とする。
【０００７】
【課題を解決するための手段】
本発明は、上記目的を達成するために、下記のゴルフボールを提供する。
請求項１：
球面上の任意点を中心とした半径５ｍｍの仮想円を描いた際、その円中に高さ０．０１ｍｍ以上の少なくとも１種の凸状ディンプルと少なくとも１種の凹状ディンプルとを３〜２５個有し、球面上の凸状ディンプルと凹状ディンプルとは互いに独立して設けられており、かつ凸状ディンプルを球面に投影した際の平面形状が円形で、その直径が１ｍｍ以上４．２ｍｍ以下であることを特徴とするゴルフボール。
請求項２：
上記仮想円の面積の３割以上が凸状ディンプルである請求項１記載のゴルフボール。
請求項３：
凸状ディンプルを球面に投影した際の投影面積の合計がボールの総表面積に対して３０〜９０％である請求項１又は２記載のゴルフボール。
請求項４：
ボールの表面硬度がショアＤで５０〜７０の範囲である請求項１乃至３のいずれか１項記載のゴルフボール。
請求項５：
ボールの土手部直径が４２．６６ｍｍ以下である請求項１乃至４のいずれか１項記載のゴルフボール。
請求項６：
凹状ディンプルの面積の割合が凸状及び凹状ディンプル全体に対し５〜４０％である請求項１乃至５のいずれか１項記載のゴルフボール。
請求項７：
凹状ディンプルは、直径が１．５〜３．６ｍｍであり、かつ深さが０．０８〜０．２０ｍｍである請求項１乃至６のいずれか１項記載のゴルフボール。
請求項８：
凸状ディンプルを球面に投影した際の投影面積の合計がボールの総表面積に対して５０〜８５％である請求項１乃至７のいずれか１項記載のゴルフボール。
請求項９：
凸状ディンプルの総数が１８０〜６００個である請求項１乃至８のいずれか１項記載のゴルフボール。
請求項１０：
一の凸状ディンプルの頂点からボールの中心を通って反対側の凸状ディンプルの頂点に至るまでの距離が４２．６７ｍｍ以上である請求項１乃至９のいずれか１項記載のゴルフボール。
【００１５】
本発明のゴルフボールは、球面上の任意点を中心とした半径５ｍｍの仮想円を描いた際、その円中に高さ０．０１ｍｍ以上の少なくとも１種の凸状ディンプルと少なくとも１種の凹状ディンプルとを３〜２５個有し、球面上の凸状ディンプルと凹状ディンプルとは互いに独立して設けられており、かつ凸状ディンプルを球面に投影した際の平面形状が円形で、その直径が１ｍｍ以上４．２ｍｍ以下であること、更に好適な実施態様としては凸状ディンプルを球面に投影した際の投影面積の合計がボールの総表面積に対する比率（凸状ディンプル占有率）が３０〜９０％となるように凸状ディンプルを多数設けることにより、ドライバーでのフルショット時にクラブヘッドとの接触面積が大巾に小さくなり、高打出角、低スピンを実現でき、ランが非常に大きくなり、トータル飛距離が増大するものである。
【００１６】
また、本発明のゴルフボールは、上記のように多数の凸状ディンプルを設けることにより、ラージサイズボールの直径規格を満たしつつ、実質的にはボール直径を小さくすることができ、風に強く、更に飛翔特性を直線的にすることができるものである。
【００１７】
【発明の実施の形態】
以下、本発明につき更に詳しく説明する。
【００１８】
［第１実施例］
本発明の第１実施例に係るゴルフボールは、球面上に多数の凸状ディンプルを設けることによりドライバーでのフルショット時のクラブヘッドとの接触面積を下げ、スピン量が低下し、高打出角となり、飛距離が増大するものである。
【００１９】
即ち、本発明のゴルフボールは、球面上の任意点を中心とした半径５ｍｍの仮想円を描いた際、その円中に３〜２５個、好ましくは３〜１２個、より好ましくは４〜８個の凸状デインプルを有するものである。凸状ディンプルが３個未満では打撃時の打出角、スピン、初速のバラツキが大きくなり、２５個を超えると凸状ディンプルによる揚抗力の関係が悪化し飛ばなくなる。なお、本発明において「半径５ｍｍの仮想円中にディンプルを有する」とは、個々のディンプルの面積の半分以上が半径５ｍｍの円中に存在することをいう。
【００２０】
また、上記凸状ディンプルが仮想円の面積の３割以上、特に５〜９割を占めることが好ましい。３割未満では打撃時の打出角、スピン、初速のバラツキが大きくなる場合がある。また、半径５ｍｍの仮想円の中心である任意点はボール球面上であればいかなる点でもよく、例えば極付近、赤道付近であっても差し支えない。
【００２１】
上記凸状ディンプル１は、図１に示したように、高さＤＰが０．０１ｍｍ以上、好ましくは０．０５〜０．３０ｍｍである。凸状ディンプルの高さが０．０１ｍｍ未満では土手部（陸部）２と差がなくなり、本発明の作用効果を発揮することができない。また凸状ディンプルを球面に投影した際の平面形状が円形であり、その直径ＤＭが１ｍｍ以上４．２ｍｍ以下、好ましくは２．０〜３．８ｍｍであり、これら凸状ディンプルは直径及び／又は高さの異なる２種以上、特に２〜４種であることが好ましい。凸状ディンプルの総数（総てが凸状ディンプルの場合はディンプル総数と同じ）は、通常１８０〜６００個、好ましくは３７２〜５５０個である。なお、これら凸状ディンプルの配列態様は特に制限されず、凹状ディンプルを配列する場合の公知の配列態様を採用することができる。
【００２２】
そして、上記凸状ディンプルを球面に投影した際の投影面積の合計がボールの総表面積に対する比率（凸状ディンプル占有率）が３０〜９０％、好ましくは５０〜８５％である。投影面積の合計が３０％未満では打撃時の打出角、スピン、初速のバラツキが大きくなり、９０％を超えるとディンプルによる揚抗力の関係が悪化し飛ばなくなる場合がある。
【００２３】
［第２実施例］
本発明の第２実施例に係るゴルフボールは、球面上の任意点を中心とした半径５ｍｍの仮想円を描いた際、その円中に高さ０．０１ｍｍ以上の少なくとも１種の凸状ディンプルと少なくとも１種の凹状ディンプルとを３〜２５個、好ましくは３〜１２個、より好ましくは４〜８個有するものであり、このように凸状ディンプルと凹状ディンプルとを適当な割合で混在させることにより、本発明の作用効果を更に効果的に達成できるものである。
【００２４】
この場合、凸状ディンプルは少なくとも１種、好ましくは１〜４種であり、その数は上記円中に２〜２４個、好ましくは２〜１１個であり、直径及び高さは第１実施例と同じである。一方、凹状ディンプルは少なくとも１種、好ましくは１〜３種であり、その数は上記円中に１〜１２個、好ましくは１〜３個であり、直径は１．５〜３．６ｍｍ、好ましくは２．０〜３．６ｍｍ、深さは通常０．０８〜０．２０ｍｍである。これら凸状及び凹状ディンプル全体に対し凹状ディンプルの面積の割合が５〜４０％、好ましくは７〜１５％である。なお、これら以外の要件は第１実施例と同様である。
【００２５】
また更に、本発明のゴルフボールは、土手部（陸部）直径を４２．６６ｍｍ以下、好ましくは４２．３〜４２．６ｍｍとすることにより、ラージサイズボールの直径規格を満たしつつ、実質的にボール直径を小さくできるものである。
【００２６】
即ち、ボールの土手部直径（土手部上の一点からボールの中心を通って反対側の土手部上の一点に至るまでの距離、つまり凹状ディンプルが形成されていないとした場合のボール直径）を上記範囲のようにラージサイズボールの直径規格より小さくしても、球面上に多数の凸状ディンプルが設けられているので、ボール直径（一の凸状ディンプルの頂点からボールの中心を通って反対側の凸状ディンプルの頂点に至るまでの距離）が４２．６７ｍｍ以上、好ましくは４２．６８〜４２．８０ｍｍとなりラージサイズボールの直径規格を十分満たした上で、実質的なボール直径を小さくすることができ、ボールの断面積が小さくなることにより、風の影響を受けにくくなり、更に飛翔特性を直線的なものとすることができるものである。
【００２７】
本発明のゴルフボールは、以上の構成を具備すれば、他の構成要素については、特に制限はなく、ワンピースゴルフボール、ツーピースゴルフボール、３層構造以上のマルチピースゴルフボール等のソリッドゴルフボールとしても、糸巻きゴルフボールとしてもよく、あらゆる種類のゴルフボールに適用可能である。この場合、ボールの表面硬度（通常はカバーの表面硬度、ワンピースゴルフボールの場合はボール自体の表面硬度）がショアＤで５０〜７０、好ましくは５８〜６８である。また、本発明のゴルフボールは、公知の材料を使用して通常の方法により製造することができる。なお、ボールの重量等のボール性状はゴルフ規則に従って適宜設定することができる。
【００２８】
【実施例】
以下、実施例と比較例を示し、本発明を具体的に説明するが、本発明は下記実施例に制限されるものではない。
【００２９】
［実施例、比較例］
下記組成のゴム組成物を混練ロールを用いて混練し、１５５℃で１５分間加圧成形することにより直径３８．５ｍｍのソリッドコアを作成した。
ゴム組成物
シス−１，４−ポリブタジエン                        １００重量部
アクリル酸亜鉛                                        ２４  〃
酸化亜鉛                                              １９  〃
老化防止剤                                              １  〃
ジクミルパーオキサイド                                  １  〃
得られたコアの周囲にショアＤ硬度６４のアイオノマー樹脂を主成分とするカバー材を射出成形し、厚さ２．１ｍｍのカバーを形成し、実施例１，２、比較例のツーピースソリッドゴルフボールを成形した。
【００３０】
この場合、実施例１のゴルフボールは、その表面に下記表１に示した４種の凸状ディンプルが図２，３に示したディンプル配列態様で配置されている（図２は極方向から見た平面図、図３は赤道方向から見た平面図である）。
【００３１】
実施例２のゴルフボールは、その表面に下記表２に示した１種の凸状ディンプルと３種の凹状ディンプルが図４に示したディンプル配列態様で配置されている（図４は極方向から見た平面図であり、図中斜線を付したディンプルを凹状ディンプルとした）。
【００３２】
比較例のゴルフボールは、その表面に下記表３に示した４種の凹状ディンプルが実施例１と同じ図２，３に示したディンプル配列態様で配置されている。なお、図２〜４中Ｃは半径５ｍｍの仮想円を示す。
【００３３】
【表１】
0004054928.tif 000002
【００３４】
【表２】
0004054928.tif 000003
【００３５】
【表３】
0004054928.tif 000004
【００３６】
次に、得られた各ゴルフボールを用いて、下記方法により飛び性能及びスピン特性を測定した。結果を表４に示す。
【００３７】
また、各ゴルフボールは内径４２．６７ｍｍのリングゲージを用いたボール直径の検査を行ったところ、いずれのゴルフボールもリングゲージを通過することができなかった。
【００３８】
飛び性能及びスピン特性
ミヤマエ社製スイングロボットを用い、ドライバーでヘッドスピード４５ｍ／ｓｅｃで打撃し、初速、打出角、スピン量、キャリー、トータル飛距離及び飛翔時間を測定した。使用クラブ及び打撃方法を下記に示す。なお、打出角、スピン量の測定にはサイエンスアイ（ブリヂストンスポーツ（株）製）を用いた。
（１）使用クラブ
ヘッド  ：ブリヂストンスポーツ（株）製  Ｊ’ｓ−ＭＥＴＡＬ
ロフト角９．５°、ライ角５７°
ＳＵＳ６３０ステンレス  ロストワックス製法
シャフト：ハーモテックプロ  ＨＭ−７０  ＬＫ（先調子）  硬さ  Ｘ
（２）打撃方法
上記クラブをスイングロボットにセットし、そのシャフトが垂直に下がる位置より、１０ｃｍ前方にボールを置いて（図５参照）、打撃を行った。
【００３９】
【表４】
0004054928.tif 000005
【００４０】
表４の結果から明らかなように、実施例１のゴルフボールは、総てを凸状ディンプルとしたことにより、打撃時の接触面積が大巾に小さくなり、高打出角、低スピンを実現でき、比較例のボールに比べてキャリーは劣るもののランが非常に大きくなり、トータル飛距離が増大するものであると共に、飛翔時間も短く風に強いものである。
【００４１】
また、実施例２のゴルフボールは、ボール表面に適当に凹状ディンプル及び凸状ディンプルを混在させて配置することにより、実施例１のように総てを凸状ディンプルとするよりも更に高い打出角、低スピンを実現できるものである。
【００４２】
更に、実施例１，２のゴルフボールは凸状ディンプルを設けたことにより、ボールの土手部直径をラージサイズボールの直径規格（４２．６７ｍｍ以上）より小さくでき、風の影響を受けにくく、飛翔特性を直線的なものとすることができるものである。
【００４３】
【発明の効果】
本発明のゴルフボールは、直線的な弾道が得られ、ラン、トータル飛距離が増大するものである。
【図面の簡単な説明】
【図１】本発明のゴルフボール表面の凸状ディンプルの拡大図である。
【図２】実施例１及び比較例のゴルフボールを極方向から見たディンプル配列パターンである。
【図３】同ボールを赤道方向から見たディンプル配列パターンである。
【図４】本発明の実施例２のゴルフボールを極方向から見たディンプル配列パターンである。
【図５】ゴルフボールの打撃方法を説明するための説明図である。
【符号の説明】
１  凸状ディンプル
２  土手部
Ｇ  ゴルフボール
【図１】
0004054928.tif 000006
【図２】
0004054928.tif 000007
【図３】
0004054928.tif 000008
【図４】
0004054928.tif 000009
【図５】
0004054928.tif 000010